(57)【要約】【課題】  長年機器を使って傾動操作を続けても、ヒンジ部分があまくならずに画像表示部を安定して静止固定できる枢支手段を備えた液晶テレビジョン受像機、或いは、ディスクトップパソコンの液晶ディスプレイ等の機器を提供しようとするものである。【解決手段】  液晶パネルと操作部を備えたテレビジョン受像機本体を脚部に対して傾動可能に枢支した液晶テレビジョン受像機であって、テレビジョン受像機本体を傾動可能に枢支するヒンジ部は一対の左右ヒンジ部から成り、各左右ヒンジ部は夫々脚部に取り付けられたスタンド部とテレビジョン受像機本体に取り付けられたスイング部とから成り、それら左右のヒンジ部が組み合わされて一体的なヒンジ部を構成した液晶テレビジョン受像機。【選択図】      図１
2005128471.tif 000002
【特許請求の範囲】
【請求項１】
液晶パネルと操作部を備えたテレビジョン受像機本体を脚部に対して前後方向に傾動可能に枢支した液晶テレビジョン受像機であって、テレビジョン受像機本体を傾動可能に枢支するヒンジ部は一対の左右ヒンジ部から成り、各左右ヒンジ部は夫々前記脚部に取り付けられたスタンド部と前記テレビジョン受像機本体に取り付けられたスイング部とから成り、それら左右のヒンジ部が組み合わされて一体的なヒンジ部を構成したことを特徴とした液晶テレビジョン受像機。
【請求項２】
前記各左右ヒンジ部の形状は面対象になるように構成され、左右ヒンジ部を組み合わせてビス止めをして、ヒンジ部を構成したことを特徴とした請求項１記載の液晶テレビジョン受像機。
【請求項３】
前記各左右ヒンジ部のスタンド部は断面コの字形に形成され、該各スタンド部のコの字形の開放面を対向して組み合わせて角柱状に形成したことを特徴とした請求項２記載の液晶テレビジョン受像機。
【請求項４】
前記組み合わせて角柱状に形成したヒンジ部は、液晶テレビジョン受像機の前後方向において、左右ヒンジ部の側面部が２枚重ね構造となることを特徴とした前記請求項１乃至３のいずれか１項に記載の液晶テレビジョン受像機。
【請求項５】
前記各左右ヒンジ部のスタンド部とスイング部はピンにより枢支され、該ピンをかしめて前記スタンド部と前記スイング部が傾動可能に枢支固着されたことを特徴とした前記請求項１乃至４のいずれか１項に記載の液晶テレビジョン受像機。
【請求項６】
前記スタンド部に前記スイング部を付勢する付勢手段を取り付け、前記テレビジョン受像機本体を前傾に傾動させた際に、前記スイング部を前記付勢手段により後方に向かって付勢することを特徴とする前記請求項１乃至５のいずれか１項に記載の液晶テレビジョン受像機。
【請求項７】
前記付勢手段は、前記スタンド部に固定する取付板と、該取付板と一体に形成されると共に前記スイング部に係止される係合部とからなることを特徴とする請求項６に記載の液晶テレビジョン受像機。
【発明の詳細な説明】
【技術分野】
【０００１】
本発明は、液晶パネルと操作部を備えたテレビジョン受像機本体を脚部に対して傾動可能に枢支した液晶テレビジョン受像機に関する。
【０００２】
本発明は、実施例を液晶テレビジョン受像機として説明するが、ディスクトップパソコンの液晶ディスプレイ等にも適用可能である。また、それ以外にも、枢軸運動を支承するヒンジ構造には、容易に適用可能なものであることは自明のことである。
【背景技術】
【０００３】
液晶テレビジョン受像機、或いは、ディスクトップパソコンの液晶ディスプレイ等は、視聴者（使用者）が最適な視野角度を得るために傾動可能に枢軸支持されている。このような機器の枢支手段は、一般的には、スタンド部とスイング部をピンによって枢支する構成となっている。
【０００４】
このような枢支手段は、長年機器を使って傾動操作を続けていると、ヒンジ部分があまくなり、画像表示部を安定して静止固定できなくなることもあった。
【０００５】
また、特許文献１に開示されているように、ヒンジ部をかしめて傾動部の固定を強化するものも知られているが、これではかしめ加工がヒンジ部の側面側から行われており、かしめピンやワッシャが側面部に残るために、どうしてもヒンジ部の横寸法が、その分、大きくなるものであった。
【０００６】
これに対して、ヒンジ部を一対の部材で構成して横幅を空けて、かしめ加工を内側から行うことも可能ではあるが、これでも横方向の寸法の低減は望めないし、独立した一対のヒンジ部では、機器を傾動操作させる際にねじれ力が加わると、ねじれ方向の剛性は必然的に弱くなるので、安定した傾動動作が損ねられるものである。
【０００７】
これ以外にも、同様のヒンジ部に関する技術は、特許文献２等が知られている。
【０００８】
【特許文献１】特開２０００−２１３５２６号公報
【特許文献２】登録実用新案３０６９３３９号公報
【発明の開示】
【発明が解決しようとする課題】
【０００９】
以上のような課題の下で、本発明は、長年機器を使って傾動操作を続けても、ヒンジ部分があまくならずに画像表示部を安定して静止固定できる枢支手段を備えた液晶テレビジョン受像機、或いは、ディスクトップパソコンの液晶ディスプレイ等の機器を提供しようとするものであり、構造的にも強固で、横寸法も小さなヒンジ部を備えた機器を提供しようとするものである。
【課題を解決するための手段】
【００１０】
請求項１に係る液晶テレビジョン受像機は、液晶パネルと操作部を備えたテレビジョン受像機本体を脚部に対して前後方向に傾動可能に枢支した液晶テレビジョン受像機であって、テレビジョン受像機本体を傾動可能に枢支するヒンジ部は一対の左右ヒンジ部から成り、各左右ヒンジ部は夫々脚部に取り付けられたスタンド部とテレビジョン受像機本体に取り付けられたスイング部とから成り、それら左右のヒンジ部が組み合わされて一体的なヒンジ部を構成した液晶テレビジョン受像機に関する。
【００１１】
さらに請求項２に係る液晶テレビジョン受像機は、請求項１記載の液晶テレビジョン受像機において、各左右ヒンジ部の形状は面対象になるように構成され、左右ヒンジ部が組み合わせてヒンジ部を構成した液晶テレビジョン受像機に関する。
【００１２】
さらに請求項３に係る液晶テレビジョン受像機は、請求項２記載の液晶テレビジョン受像機において、各左右ヒンジ部のスタンド部は断面コの字形に形成され、該各スタンド部のコの字形の開放面を対向して組み合わせて角柱状に形成した液晶テレビジョン受像機に関する。
【００１３】
さらに請求項４に係る液晶テレビジョン受像機は、請求項１〜３の何れか１項記載の液晶テレビジョン受像機において、組み合わせて角柱状に形成したヒンジ部は、液晶テレビジョン受像機の前後方向において、左右ヒンジ部の側面部が２枚重ね構造とした液晶テレビジョン受像機に関する。
【００１４】
さらに請求項５に係る液晶テレビジョン受像機は、請求項１〜４の何れか１項記載の液晶テレビジョン受像機において、各左右ヒンジ部のスタンド部とスイング部はピンにより枢支され、該ピンをかしめてスタンド部とスイング部が傾動可能に枢支固着された液晶テレビジョン受像機に関する。
【００１５】
さらに請求項６に係る液晶テレビジョン受像機は、請求項１〜５の何れか１項記載の液晶テレビジョン受像機において、前記スタンド部に前記スイング部を付勢する付勢手段を取り付け、前記テレビジョン受像機本体を前傾に傾動させた際に、前記スイング部を前記付勢手段により後方に向かって付勢することを特徴とする。
【００１６】
さらに請求項７に係る液晶テレビジョン受像機は、請求項６記載の液晶テレビジョン受像機において、前記付勢手段は、前記スタンド部に固定する取付板と、該取付板と一体に形成されると共に前記スイング部に係止される係合部とからなることを特徴とする。
【発明の効果】
【００１７】
本発明は、ヒンジ部を一対の左右ヒンジ部から構成し、それらを組み合わせて一体的なヒンジ部を構成することにより、構造的に簡単で強度の強いヒンジ部を構成することができるので、自由に適当な視覚で液晶パネルの向きを調節できる液晶テレビジョン受像機が提供できるものである。
【００１８】
左右ヒンジ部の形状は面対象に構成したので、左右のヒンジ部を組み合わせることにより機器の前後方向を２枚の部材により構成することが可能であり、液晶テレビジョン受像機の強度の強いヒンジ部が提供できるものである。
【００１９】
ヒンジ部を一対の左右ヒンジ部により構成することにより、各左右ヒンジ部の枢支部の内面側から容易にかしめ加工することが可能であり、枢支部の外面側をピンの平頭部とすることができるので、ヒンジ部の横寸法を小さく構成することができる。また、枢支部をかしめ加工により枢支固着することにより、より大きな傾動角度で自由に傾動が可能であり、所定の角度でテレビジョン受像機本体を静止固定することができる。
【００２０】
さらに、前記スタンド部に前記スイング部を付勢する付勢手段を取り付け、前記テレビジョン受像機本体を前傾に傾動させた際に、前記スイング部を前記付勢手段により後方に向かって付勢するから、テレビジョン受像機本体の前傾させる力と後傾させる力との回転力をほぼ均等にすることができるので、テレビジョン受像機本体を安定した状態で傾動動作させることができ、テレビジョン受像機本体の傾動を急激な傾動動作で行ったとしても、転倒することを防止できると共に品質性に優れた液晶テレビジョン受像機を提供することができる。
【００２１】
さらに、前記付勢手段は、前記スタンド部に固定する取付板と、該取付板と一体に形成されると共に前記スイング部に係止される係合部とからなるから、例えば、コスト的に高いコイルばねなどを用いることなく、コスト的に優れた液晶テレビジョン受像機を提供することができる。
【発明を実施するための最良の形態】
【００２２】
以下、添付図面を参酌しながら、本発明を実施するための最良の形態としての実施例を説明する。
【実施例１】
【００２３】
以下、本発明を実施例に従って説明する。図１は、本発明を液晶テレビジョン受像機に適応した際の側面図であり、ヒンジ部を明瞭に示すためにヒンジカバー（点線にて表示）を外した状態を示している。
【００２４】
本発明の液晶テレビジョン受像機は図１乃至図３に示すように、液晶パネル表示部１１と操作部１２とを備えたテレビジョン受像機本体１０がヒンジ部２０によって脚部９０に枢軸支持されている。
【００２５】
テレビジョン受像機本体１０は、図１において、ヒンジ部２０の枢支軸を中心に脚部９０に対して左右方向に傾動可能である。テレビジョン受像機本体１０は、液晶パネル表示部１１を操作者（視聴者）の方向に自由に視覚角度を変更するには、受像機本体１０の適当な位置を持って、希望する方向に本体１０を傾動させれば良い。
【００２６】
図４は、ヒンジ部２０回りの傾動動作を説明するための、部分詳細図であり、図１とは方向が逆であるが、前方に５°、後方に１５°傾動できる状態を示している。この可動範囲は、実際に適用する機器の使用状態で適宜選択的に設計できるものである。使用目的によっては１８０°を越える可動範囲を得ることも可能である。
【００２７】
ヒンジ部２０は、一対の左右ヒンジ部３０、５０から構成されており、その詳細を図５及び図６に示す。図５は、左ヒンジ部３０を示す６面図であり、（ａ）は右側面図、（ｂ）は背面図、（ｃ）は左側面図、（ｄ）は正面図、（ｅ）は底面図、（ｆ）は上面図である。図６は、右ヒンジ部５０を示す６面図であり、（ａ）は右側面図、（ｂ）は背面図、（ｃ）は左側面図、（ｄ）は正面図、（ｅ）は底面図、（ｆ）は上面図である。
【００２８】
各左右ヒンジ部３０、５０は、夫々、スタンド部３１、５１とスイング部３２、５２の主要部材から構成されている。本出願ではスタンド部とスイング部を明瞭に峻別するために、図面中のスタンド部を太線で示し、スイング部を細線で示している。スイング部３２、５２は、ピン３３、５３により、スタンド部３１、５１に対して揺動可能に枢軸支持されている。図５及び図６では、スイング部３２、５２は、スタンド部３１、５１に対して、ピン３３、５３によって枢支され、ワッシャ３４、３５及び５４、５５を挿入した状態であるが、ピン３３、５３は、まだ、かしめ加工されていない状態を示している。
【００２９】
左ヒンジ部３０のスタンド部３１は、脚部取付け面３６からＬ形に立ち上がった立上り面３９を設け、ほぼ円形状の枢支面４０に繋がっている。立上り面３９の前後には、該立上り面３９と共に断面コの字形を形成する前後係合面３７、３８が曲げ加工により形成されている。前係合面３７にはエンボス係合穴４１とビス止め係合穴４２が形成され、後係合面３８にはエンボス４４、４４、及びエンボス係合穴４１及びビス止め係合穴４２が形成されている。なお、図中、穴部とエンボス部とを明確に可視的に表示をするために、エンボス部には３本の斜線を記して識別可能にしている。
【００３０】
一方、右ヒンジ部５０のスタンド部５１は、脚部取付け面５６からＬ形に立ち上がった立上り面５９を設け、ほぼ円形状の枢支面６０に繋がっている。立上り面５９の前後には、該立上り面５９と共に断面コの字形を形成する前後係合面５７、５８が曲げ加工により形成されている。前係合面５７には、左ヒンジ部３０の前係合面３７のエンボス係合穴４１と係合する位置にエンボス６１が形成され、左ヒンジ部３０の前係合面３７のビス止め係合穴４２と一致する位置にビス止め係合穴６２が形成され、後係合面５８には、左ヒンジ部３０の後係合面３８のエンボス係合穴４１と係合する位置にエンボス６１が形成され、左ヒンジ部３０の後係合面３８のビス止め係合穴４２と一致する位置にビス止め係合穴６２が形成されている。なお、図６も図５と同様に図中、穴部とエンボス部とを明確に可視的に表示をするために、エンボス部には３本の斜線を記して識別可能にしている。
【００３１】
このような構成により、左ヒンジ部３０と右ヒンジ部５０とを組み合わせる際に、各エンボス部と各エンボス係合穴とが嵌まり合い位置決めが確実となる。
【００３２】
左ヒンジ部３０のスタンド部３１は、ピン３３を介してスイング部３２が傾動自在に枢支されている。スイング部３２には、テレビジョン受像機本体１０を取り付けるための本体取付け面４５と係合面４６とを備えている。左ヒンジ部３０のスイング部３２の本体取付け面４５には本体取付けビス穴４７、４７を設け、係合面４６にはビス止め係合穴４８を設けている。
【００３３】
左ヒンジ部３０のスタンド部３１の脚部取付け面３６には、ビス止め係合穴４２、４２、４２、４２が形成されている。
【００３４】
右ヒンジ部５０のスタンド部５１は、ピン５３を介してスイング部５２が傾動自在に枢支されている。スイング部５２には、テレビジョン受像機本体１０を取り付けるための本体取付け面６５と係合面６６とを備えている。右ヒンジ部５０のスイング部５２の本体取付け面６５には本体取付けビス穴６７、６７を設け、係合面６６にはビス止め係合穴６８を設けている。
【００３５】
右ヒンジ部５０のスタンド部５１の脚部取付け面５６には、ビス止め係合穴６２、６２、６２、６２、及び、脚部９０との位置合わせのために（図示せず）エンボス６１が形成されている。
【００３６】
これにより、左ヒンジ部３０と右ヒンジ部５０とを組み合わせ、左ヒンジ部３０の係合面４６と右ヒンジ部５０の係合面６６が重ね合わされ位置決めされ、ビス止め係合穴４８とビス止め係合穴６８とを合わせてビス止めし、左ヒンジ部３０のスイング部３２と右ヒンジ部５０のスイング部５２との一体的固定を確実にする。
【００３７】
左ヒンジ部３０のスタンド部３１の枢支面４０とスイング部３２は、ピン３３によって枢支されており、ワッシャ３４、３５を挿入してピン３３を図８のＡ方向からかしめてスタンド部３１とスイング部３２を傾動可能に枢支固定する。
【００３８】
右ヒンジ部５０のスタンド部５１の枢支面６０とスイング部５２は、ピン５３によって枢支されており、ワッシャ５４、５５を挿入してピン５３を図８のＡ方向からかしめてスタンド部５１とスイング部５２を傾動可能に枢支固定する。
【００３９】
このように、各左右ヒンジ部３０、５０は枢支部をかしめにより加工しているので、傾動操作を多数回繰り返したとしても、支承があまくなることはなく、つねに安定した静止固定状態を保つことができる。また、ヒンジ部２０を、左右面対象の左右ヒンジ部３０、５０を組み合わせて構成することにより、夫々のかしめ加工の方向はＡ方向（内側）から行うことが可能となり、ワッシャやかしめ部をヒンジ部２０内側にすることができ、ヒンジ部２０全体の横寸法を抑えることができる。
【００４０】
また、二つの各左右ヒンジ部３０、５０を組み合わせて一体的なヒンジ部２０を構成するために、横寸法が小さくとも強度の強い、ねじりにも強いヒンジ部を得ることができるものである。
【００４１】
かしめ加工された左ヒンジ部３０と、同じくかしめ加工された右ヒンジ部５０は、図７に示すように、スタンド部３１、５１は、二つの部材が組み合わされ、ほぼ断面四角形のスタンド部７１が形成され、スイング部３２、５２は、二つの部材が組み合わされ、一体的なスイング部７２が形成される。
【００４２】
図７は、ピン３３、５３をかしめ加工して、左ヒンジ部３０と右ヒンジ部５０を組み合わせて一体的なヒンジ部２０を構成した４面図を示しており、（ａ）は背面図、（ｂ）は右側面図、（ｃ）は正面図、（ｄ）は上面図である。なお、図７では、左ヒンジ部３０は太目の実線で示し、右ヒンジ部５０は細めの実線（スタンド部）と点線（スイング部）で示し、さらに、（ａ）及び（ｃ）では、左ヒンジ部３０と右ヒンジ部５０をビス止めする状況を示すため、ビスを斜視図で示している。
【００４３】
図７に示すとおり、二つの部材が組み合わされた一体的なスイング部７２は、機器の前後方向に２枚重ねの部材を配置することにより、強度の強いヒンジ部２０を構成することができる。また、底面部３６、５６は２枚が組み合わされるように板厚分だけ寸法を変えている。
【００４４】
図９（ａ）及び（ｂ）は、夫々、左ヒンジ部３０のＡ−Ａ断面図及び右ヒンジ部５０のＢ−Ｂ断面図である。これにより、左ヒンジ部３０のスタンド部３１の後係合面３８に形成されたエンボス係合穴４１に右ヒンジ部５０のスタンド部５１の後係合面５８に形成されたエンボス６１が嵌め合わされ、ビス止め係合穴４２、６２同士は一致してビスにより係合することができる。
【００４５】
このようにして一体的に構成されたヒンジ部２０（ビス止め係合穴等は表示せず）は、図１０に示すように脚部９０に対して適当な手段（図示せず）により取り付けることができる。
【００４６】
また、ヒンジ部２０をテレビジョン受像機本体１０に対してビスにより取り付けた状態を図１１に示す。
【実施例２】
【００４７】
次に、本発明の実施例２を説明する。図１２は本発明の実施例２を示すヒンジ部の斜視図である。図１３は付勢手段を取り外した状態を示す分解斜視図である。図１４は液晶テレビジョン受像機を示す説明図である。図１５はヒンジ部の要部拡大断面図である。
【００４８】
なお、実施例１と付勢手段以外は同一であり、実施例１と同一部分には同一符号を付し、その詳細な説明を省略して詳述する。この実施例２におけるテレビジョン受像機本体１０は、そのサイズが２０インチ以上の大型の液晶パネル表示部１１を備えた大型且つ重量の重いものである。
【００４９】
また、付勢手段は、スタンド部７１に固定される取付板８０と、この取付板８０に一体に形成される係合部８２からなり、金属製であって弾性を有するものである。この取付板８０は、後係合面３８，５８に形成されているビス止め係合穴４２，６２に取付板８０に形成されている孔部８１を一致させ、スタンド部３８の後部に当接させた状態でビスなどにより取り付けられている。また、取付板８０の上方は、前側に向かって屈曲し、ヒンジ部２０の係合面４６，６６の何れかに係止される係合部８２を一体に形成している。
【００５０】
そして、テレビジョン受像機本体１０は、図１４に示すように、その重心ａが前後方向ほぼ中央に位置しており、テレビジョン受像機本体１０の重心ａが、ヒンジ部２０の回転の中心ｂより前側に位置しているので、ヒンジ部２０に対して、テレビジョン受像機本体１０を傾動させる際の回転力が、前後に回転（図１４の矢印方向）させる回転方向により異なるものである。
【００５１】
次に、以上のように構成される液晶テレビジョン受像機におけるその作用について説明する。
【００５２】
操作者が、図１５に示すように、テレビジョン受像機本体１０を最大に後傾させた状態から前傾させると、その回転に追従してヒンジ部２０のスイング部７２が、前側（図１５に示す反時計回り方向）に回転する。そして、この回転に伴って、係合部８２がヒンジ部２０の係合面４６又は係合面６６に係止されていることから、係合部８２は追従して前側に撓む。つまり、スイング部７２を最大に後傾させた状態から前傾させると係合部８２が前側に撓み、この撓みによる係合部８２の付勢力に抗してテレビジョン受像機本体１０を所望の位置に回転させて静止させることができる。
【００５３】
一方、操作者がテレビジョン受像機本体１０の前傾状態から後傾（図１５に示す時計回り方向）させると、その回転に追従してスイング部７２が、後側に回転する。この状態においては、操作者は、テレビジョン受像機本体１０を自らの力に加え板ばね部材８０の付勢力により、テレビジョン受像機本体１０をスムーズ且つ容易に後傾することができる。
【００５４】
このように、ヒンジ部２０に取付板８０と係合部８２からなる付勢手段を取り付け、係合部８２の復元力によりテレビジョン受像機本体１０を後方に付勢することで、ヒンジ部２０の可動部などの隙間などのガタつきを防止できると共に、テレビジョン受像機本体１０を前傾させる力と後傾させる力との回転力をほぼ均等にすることができるので、テレビジョン受像機本体１０を安定した状態で傾動動作させることが可能となり、例えば、テレビジョン受像機本体１０の傾動を急激な傾動動作で行ったとしても、転倒することを防止できると共に品質性に優れた液晶テレビジョン受像機を提供することができる。
【００５５】
さらに、ヒンジ部２０のスタンド部３８の後部に取付板８０を当接させた状態でビスなどで容易に着脱させて取り付けることができるので、例えば、コイルバネのように大きな組み付けスペースを必要とせず、ヒンジ部を小型化することができる。しかも、コイルバネのコストに比べ、取付板８０と係合部８２からなる付勢手段の部品コストは低いので、コストを低減し安価な液晶テレビジョン受像機を提供することができる。
【００５６】
また、例えばヒンジ部２０上方に取り付けられるテレビジョン受像機本体１０の大きさ或いは重量などに対応させて、付勢手段の厚さなどを設計変更し、係合部８２の付勢力を容易に変更することができるので互換性に優れ、コスト的に優れた液晶テレビジョン受像機を提供することができる。
【図面の簡単な説明】
【００５７】
【図１】ヒンジ部を明瞭に示すためにヒンジカバー（点線にて表示）を外した状態の本発明の液晶テレビジョン受像機の側面図である。
【図２】本発明の液晶テレビジョン受像機の正面斜視図である。
【図３】本発明の液晶テレビジョン受像機の背面斜視図である。
【図４】ヒンジ部の部分詳細図である。
【図５】左ヒンジ部を示す６面図である。
【図６】右ヒンジ部を示す６面図である。
【図７】左右ヒンジ部を組み合わせた状態のヒンジ部を示す４面図である。
【図８】左右ヒンジ部のかしめ加工の状態を示した断面図である。
【図９】左右ヒンジ部のＡ−Ａ及びＢ−Ｂ断面図である。
【図１０】ヒンジ部を脚部に取り付けた状態を示す斜視図である。
【図１１】ヒンジ部の機器本体に対する取り付け状態を示す詳細図である。
【図１２】実施例２のヒンジ部を示す斜視図である。
【図１３】同上、付勢手段を取り外した状態を示す分解斜視図である。
【図１４】同上、液晶テレビジョン受像機を示す説明図である。
【図１５】ヒンジ部の要部拡大断面図である。
【符号の説明】
【００５８】
１０  テレビジョン受像機本体
２０  ヒンジ部
３０  左ヒンジ部
３１  スタンド部
３２  スイング部
３３，５３  ピン
５０  右ヒンジ部
５１  スタンド部
５２  スイング部
８０  取付板
８２  係合部
９０  脚部
【図１】
2005128471.tif 000003
【図２】
2005128471.tif 000004
【図３】
2005128471.tif 000005
【図４】
2005128471.tif 000006
【図５】
2005128471.tif 000007
【図６】
2005128471.tif 000008
【図７】
2005128471.tif 000009
【図８】
2005128471.tif 000010
【図９】
2005128471.tif 000011
【図１０】
2005128471.tif 000012
【図１１】
2005128471.tif 000013
【図１２】
2005128471.tif 000014
【図１３】
2005128471.tif 000015
【図１４】
2005128471.tif 000016
【図１５】
2005128471.tif 000017